(57)【特許請求の範囲】
【請求項１】
ユーザの脳波を取得する脳波電極と、前記ユーザの眼電を取得する眼電電極と、前記ユーザの酸素飽和度を取得する酸素飽和度センサとを有するＰＳＧ検査用頭部装具と、
前記ユーザの頤筋電を取得する頤筋電電極と、前記ユーザの鼻口呼吸を取得する気流センサとを有するＰＳＧ検査用頤部装具と、
前記ユーザの心電を取得する心電センサと、前記ユーザの呼吸運動を取得する呼吸運動センサとを有するＰＳＧ検査用胸部装具と
を具備するＰＳＧ検査装置であって、
前記ＰＳＧ検査用頭部装具は、前記脳波電極と、前記眼電電極と、前記頤筋電電極と、前記酸素飽和度センサと、前記気流センサと、前記心電センサと、前記呼吸運動センサから取得された信号から記録フォーマットと通信フォーマットを成型する信号処理部と、前記信号処理部から出力された前記記録フォーマットを記録する記録部と、前記信号処理部から出力された前記通信フォーマットを外部機器に無線送信する外部送信部とを備え、
前記ＰＳＧ検査用頭部装具は、前記ユーザの額から後頭部にかけて前記ユーザの頭部形状に沿った形状を有し、弾性力によって前記ユーザの頭部に装着されるヘッドバンドを有し、
前記脳波電極は、前記ヘッドバンドによって前記ユーザの頭部における、国際１０／２０法に規定されるＦ３、Ｆ４、Ｃ３、Ｃ４、Ｏ１及びＯ２の電極位置にそれぞれ配置され、
前記眼電電極は、前記ヘッドバンドによって前記ユーザのこめかみに配置され、
前記酸素飽和度センサは、前記ヘッドバンドによって前記ユーザの額に配置される
ＰＳＧ検査装置。
【請求項２】
請求項１に記載のＰＳＧ検査装置であって、
前記ＰＳＧ検査用胸部装具は、前記心電センサ及び前記呼吸運動センサの出力信号を前記信号処理部に無線送信する胸部送信部をさらに具備する
ＰＳＧ検査装置。
【発明の詳細な説明】
【技術分野】
【０００１】
本技術は、ユーザの睡眠状態の判定に利用される終夜睡眠ポリグラフを取得するためのＰＳＧ検査用頭部装具及びＰＳＧ検査装置に関する。
【背景技術】
【０００２】
ＰＳＧ（Polysomnography：終夜睡眠ポリグラフィ）検査は、睡眠状態をトータルに評価する検査であり、睡眠時無呼吸症候群の判定によく用いられる。具体的には、ＰＳＧ検査は、脳波、眼電、頤筋電、酸素飽和度、鼻口呼吸、胸腹呼吸等の複数の測定項目を同時に実施することにより行われる。
【０００３】
どの測定項目を測定すべきかは、例えば米国睡眠学会（ＡＡＳＭ）によって、測定環境に応じてタイプ１（Standard Full PSG）、タイプ２（Comprehensive portable PSG）等のように規定されている。
【０００４】
上記のようにＰＳＧ検査は測定項目が多岐に渡るため、病院等の専門設備において技師によって測定されることが想定されている。下記特許文献１あるいは特許文献２には、ＰＳＧ検査の測定項目の幾つか測定するための測定装置が記載されている。
【先行技術文献】
【特許文献】
【０００５】
【特許文献１】特開２００４−３０５２５８号公報
【特許文献２】特開２００８−０６７８９２号公報
【発明の概要】
【発明が解決しようとする課題】
【０００６】
しかしながら、上記ＰＳＧ検査を専門設備ではなく、自宅においてユーザ自身によって行う（ホームモニタリング）ことを可能とする測定装置が望まれている。特許文献１あるいは特許文献２に記載のようなの測定装置では、検査装置が大掛かりであり、又は測定項目が不足しているために、専門設備での測定が想定されている。
【０００７】
以上のような事情に鑑み、本技術の目的は、ホームモニタリングに適したＰＳＧ検査装置を提供することにある。
【課題を解決するための手段】
【０００８】
上記目的を達成するため、本技術の一形態に係るＰＳＧ検査用頭部装具は、脳波電極と、眼電電極と、酸素飽和度センサとを具備する。
上記脳波電極は、ユーザの脳波を取得する。
上記眼電電極は、上記ユーザの眼電を取得する。
上記酸素飽和度センサは、上記ユーザの酸素飽和度を取得する。
【０００９】
この構成によれば、ＰＳＧ検査用頭部装具をユーザに装着することにより、脳波、眼電及び酸素飽和度の取得が可能となり、他の測定装置からの測定データと組み合わせて終夜睡眠ポリグラフ（ＰＳＧ）の取得が可能となる。
【００１０】
上記ＰＳＧ検査用頭部装具は、ユーザの頭部に装着されるヘッドバンドを有し、上記脳波電極は上記ヘッドバンドによって上記ユーザの頭部の所定位置に配置され、上記眼電電極は上記ヘッドバンドによって上記ユーザのこめかみに配置され、上記酸素飽和度センサは上記ヘッドバンドによってユーザの額に配置されてもよい。
【００１１】
この構成によれば、ＰＳＧ検査用頭部装具をユーザに装着することにより、脳波電極、眼電電極及び酸素飽和度の電極及びセンサを適切な位置に配置することが可能となる。
【００１２】
上記脳波電極は、国際１０／２０法に規定される、Ｆ３、Ｆ４、Ｃ３、Ｃ４、Ｏ１及びＯ２の電極位置に配置されてもよい。
【００１３】
この構成によれば、ＰＳＧ検査用頭部装具をユーザに装着することにより、米国睡眠学会（ＡＡＳＭ）によって推奨されるＰＳＧ検査用の電極位置に脳波電極を配置することが可能となる。
【００１４】
上記ＰＳＧ検査用頭部装具は、取得された信号から終夜睡眠ポリグラフを生成する信号処理部をさらに具備してもよい。
【００１５】
この構成によれば、ＰＳＧ検査用頭部装具において終夜睡眠ポリグラフを生成することができ、終夜睡眠ポリグラフを生成するための別の情報処理装置が不要となる。
【００１６】
上記目的を達成するため、本技術の一形態に係るＰＳＧ検査装置は、ＰＳＧ検査用頭部装具と、ＰＳＧ検査用頤部装具と、ＰＳＧ検査用胸部装具とを具備する。
上記ＰＳＧ検査用頭部装具は、ユーザの脳波を取得する脳波電極と、上記ユーザの眼電を取得する眼電電極と、上記ユーザの酸素飽和度を取得する酸素飽和度センサとを有する。
上記ＰＳＧ検査用頤部装具は、上記ユーザの頤筋電を取得する頤筋電電極と、上記ユーザの鼻口呼吸を取得する気流センサとを有する。
上記ＰＳＧ検査用胸部装具は、上記ユーザの心電を取得する心電センサと、上記ユーザの呼吸運動を取得する呼吸運動センサとを有する。
【００１７】
この構成によれば、ＰＳＧ検査装置をユーザに装着することにより、終夜睡眠ポリグラフの作成に必要な測定値の取得が可能となる。
【００１８】
上記ＰＳＧ検査用頭部装具は、取得された信号から終夜睡眠ポリグラフを生成する信号処理部をさらに具備し、上記ＰＳＧ検査用胸部装具は、上記心電センサ及び上記呼吸運動センサの出力信号を上記信号処理部に無線送信する胸部送信部をさらに具備してもよい。
【００１９】
この構成によれば、ＰＳＧ検査用頭部装具において終夜睡眠ポリグラフを生成することができ、終夜睡眠ポリグラフを生成するための別の情報処理装置が不要となる。
【００２０】
上記ＰＳＧ検査用頭部装具は、上記信号処理部によって生成された終夜睡眠ポリグラフを外部機器に無線送信する外部送信部をさらに具備してもよい。
【００２１】
この構成によれば、ＰＳＧ検査用胸部装具とＰＳＧ検査用頭部装具の間を、ユーザの睡眠の妨げとならないように接続することが可能となる。
【発明の効果】
【００２２】
以上のように、本技術によれば、ホームモニタリングに適したＰＡＧ検査装置を提供することが可能となる。
【図面の簡単な説明】
【００２３】
【図１】本技術の実施形態に係るＰＳＧ検査装置の構成を示す模式図である。
【図２】当該ＰＳＧ検査装置の脳波電極の配置を示す模式図である。
【図３】当該ＰＳＧ検査装置の機能的構成を示すブロック図である。
【図４】当該ＰＳＧ検査装置の動作を示す模式図である。
【図５】当該ＰＳＧ検査装置で利用されるデータフォーマットを示す模式図である。
【発明を実施するための形態】
【００２４】
本技術の実施形態に係るＰＳＧ検査装置について説明する。
【００２５】
［ＰＳＧ検査装置の構成］
図１は、ＰＳＧ検査装置１の構成を示す模式図である。同図に示すように、ＰＳＧ検査装置１は、頭部装具２、頤部装具３及び胸部装具４を有する。頭部装具２はユーザの頭部に装着され、頤部装具３はユーザの頤部（顎部）に装着される。胸部装具４はユーザの胸部に装着される。頤部装具３及び胸部装具４は、有線又は無線によって頭部装具２と接続されている。
【００２６】
図１に示すように、頭部装具２は、ヘッドバンド２１、筐体２２、脳波電極２３、眼電電極２４、酸素飽和度センサ２５及びシステムリファレンス電極２６を有する。ヘッドバンド２１がユーザの頭部に装着可能に構成され、筐体２２、脳波電極２３、眼電電極２４、酸素飽和度センサ２５及びシステムリファレンス電極２６はヘッドバンド２１に支持されている。
【００２７】
ヘッドバンド２１は、ユーザの頭部形状に沿った形状、例えばユーザの額から後頭部にかけて湾曲した板状の形状を有する部材とすることができ、その弾力性によってユーザの頭部に装着されるものとすることができる。また、ヘッドバンド２１は、ここに示すもの以外の形状とすることも可能である。ヘッドバンド２１は、ユーザの睡眠中に体動等によってずれを生じないものが好適である。
【００２８】
筐体２２は、ヘッドバンド２１に固定され、後述する信号処理回路等を内蔵する。筐体２２の形状は特に限定されないが、ユーザの睡眠を妨げにくい形状が好適である。
【００２９】
脳波電極２３は、ユーザの脳波（Electroencephalogram：ＥＥＧ）を取得するための電極である。脳波電極２３は、脳波の測定箇所に対応して複数が設けられてもよい。脳波電極２３は、例えば、電解液が含浸された弾性部材からなるものとしてもよく、この他のユーザの頭表に電気的に接続可能な構造を有するものとすることもできる。脳波電極２３は、ヘッドバンド２１から延伸されたアームによって所定位置に配置されるものとすることができる。
【００３０】
脳波電極２３の電極配置は、特に限定されないが、次のようにすると好適である。図２は、脳波電極２３の電極配置を示す模式図である。図２には、脳波測定における標準的な電極配置である国際１０／２０法の電極配置が示されている。この中で、太線で囲んだＦ３、Ｆ４、Ｃ３、Ｃ４、Ｏ１及びＯ２が米国睡眠学会（ＡＡＳＭ）によるＰＳＧ検査の際の推奨電極配置である。従って、脳波電極２３はこの推奨位置に配置されることが好適である。また、ユーザの耳朶に基準電極（Ｍ１、Ｍ２）を配置することができる。
【００３１】
眼電電極２４は、ユーザの眼電（Electro-oculogram：ＥＯＧ）を取得するための電極である。眼電電極２４は、例えば、電解液が含浸された弾性部材からなるものとすることができ、ユーザのこめかみに配置されるものとすることができる。眼電電極２４は、ヘッドバンド２１から延伸されたアームによってユーザのこめかみに配置されるものとすることができる。
【００３２】
酸素飽和度センサ２５は、ユーザの経皮的血中酸素飽和度（percutaneous oxygen saturation：ＳｐＯ２）を取得するためのセンサである。酸素飽和度センサ２５は、皮膚に光を照射する発光部と、反射光を測定する受光部を備え、酸素濃度による反射光の吸光度差から酸素飽和度を判定する構造のものを用いることが可能である。酸素飽和度センサ２５は、ヘッドバンド２１から延伸されたアームによってユーザの前額部に配置されるものとすることができる。
【００３３】
システムリファレンス電極２６は、上記脳波電極２３、眼電電極２４及び後述する頤筋電電極３２の基準となる基準電位を取得するための電極である。システムリファレンス電極２６は、例えば、電解液が含浸された弾性部材からなるものすることができ、ユーザの前額部等に配置されるものとすることができる。
【００３４】
頭部装具２は以上のような構成を有する。なお、筐体２２に収容される送受信部や信号処理部については後述する。
【００３５】
頤部装具３は、支持体３１、頤筋電電極３２及び気流センサ３３を有する。支持体３１がユーザの頤部に装着可能に構成され、頤筋電電極３２及び気流センサ３３が支持体３１に支持されている。頤部装具３は、配線によって頭部装具２と接続されているものとすることができる。
【００３６】
支持体３１は、ユーザの顔のラインに沿った形状、例えばユーザの耳朶下部から頤部を経由し、反対側の耳朶下部に到る形状を有する部材とすることができ、その弾力性によってユーザの頤部に装着されるものとすることができる。また、支持体３１は、ここに示すもの以外の形状とすることも可能である。支持体３１は、ユーザの睡眠中に体動等によってずれを生じないものが好適である。
【００３７】
頤筋電電極３２は、頤部の筋電（electromyograph：ＥＭＧ）を取得するための電極である。頤筋電電極３２は、例えば、電解液が含浸された弾性部材からなるものとすることができる。頤筋電電極３２は、支持体３１に内蔵され、ユーザの頤部に配置されるものとすることができる。
【００３８】
気流センサ３３は、ユーザの鼻口呼吸フローを取得するためのセンサである。気流センサ３３は、呼気による差圧を測定するセンサであるものとすることができる。気流センサ３３は、支持体３１からユーザの鼻と口の間に伸びるアームによって配置されるものとすることができる。
【００３９】
頤部装具３は以上のような構成を有する。
【００４０】
胸部装具４は、支持体４１、心電センサ４２及び呼吸運動センサ４３を有する。支持体４１がユーザの胸部に装着可能に構成され、心電センサ４２及び呼吸運動センサ４３が支持体４１に支持されている。胸部装具４は、有線又は無線によって頭部装具２と接続されているものとすることができる。
【００４１】
支持体４１は、ユーザの胸部に装着可能な形状を有し、例えばユーザの胴体に巻回されるベルト等によってユーザの胸部に固定される。また、支持体４１は、ここに示すもの以外の形状とすることも可能である。支持体４１は、ユーザの睡眠中に体動等によってずれを生じないものが好適である。
【００４２】
心電センサ４２は、ユーザの心電(electrocardiogram：ＥＣＧ）を取得するためのセンサである。心電センサ４２は、例えば、電解液が含浸された弾性部材からなるものとしてもよく、この他のユーザの胸部に電気的に接続可能な構造を有するものとすることもできる。心電センサ４２は、支持体４１に内蔵され、ユーザの胸部に配置されるものとすることができる。
【００４３】
呼吸運動センサ４３は、ユーザの呼吸運動を取得するためのセンサである。呼吸運動センサ４３は、例えば、上記支持体４１をユーザの胴体に固定するベルトの伸縮を測定するものや、支持体４１の加速度を測定するもの等、任意のものを用いることが可能である。
【００４４】
胸部装具４は以上のような構成を有する。
【００４５】
［ＰＳＧ検査装置の機能的構成及び動作］
ＰＳＧ検査装置１の機能的構成について説明する。図３は、ＰＳＧ検査装置１の機能的構成を示す模式図であり、図４はＰＳＧ検査装置１の動作を示す模式図である。
【００４６】
図３に示すように、頭部装具２の筐体２２には、信号処理回路２７、ＣＰＵ（Central Processing Unit）２８、記録装置２９、外部通信装置３０が収容されている。信号処理回路２７はＣＰＵ２８に接続され、ＣＰＵ２８は記録装置２９及び外部通信装置３０に接続されている。
【００４７】
信号処理回路２７は、脳波電極２３、眼電電極２４及び頤筋電電極３２の出力信号を処理する。信号処理回路２７は、各電極にそれぞれ接続されたアンプ２７１、各アンプ２７１にそれぞれ接続されたフィルタ２７２及び各フィルタ２７２に接続されたＡＤＣ（アナログデジタル変換器）２７３を有する。
【００４８】
脳波電極２３、眼電電極２４及び頤筋電電極３２のそれぞれの出力は対応するアンプ２７１に入力され、システムリファレンス電極２６の出力に対して差動増幅される。各アンプ２７１の出力は各フィルタ２７２を経由してＡＤＣ２７３に入力され、デジタル信号に変換される。生成されたデジタル信号は、ＣＰＵ２８に出力される。また、酸素飽和度センサ２５及び気流センサ３３の出力もＣＰＵ２８に入力される。
【００４９】
心電センサ４２及び呼吸運動センサ４３の出力は、胸部装具４の支持体４１に内蔵された胸部通信装置４４によってＣＰＵ２８に送信される。ＣＰＵ２８は、上記のように入力された各電極及び各センサの出力信号の集約とフォーマット成型を行う。ＣＰＵ２８は、次のような記録フォーマットＤ１と通信フォーマットＤ２を作成する。
【００５０】
図５に、記録フォーマットＤ１と通信フォーマットＤ２の例を示す。記録フォーマットＤ１は、データの属性とデータ単位のクラスタのサイズを定義するヘッダとデータ本体からなる。通信フォーマットＤ２はデータクラスタの先頭を示すヘッダとデータ本体からなる。
【００５１】
ＣＰＵ２８は、記録フォーマットＤ１を記録装置２９に出力し、記録させる。また、通信フォーマットＤ２を外部通信装置３０に出力し、外部機器（ＰＣ等）に送信させる。これにより、終夜睡眠ポリグラフ波形の記録又はリアルタイム視聴が可能となる。即ち、ＰＳＧ検査装置１のみにより、米国睡眠学会（ＡＡＳＭ）によって規定されているタイプ１（Standard Full PSG）及びタイプ２（Comprehensive portable PSG）のＰＳＧ検査が可能となる。
【００５２】
本技術は上記各実施形態にのみ限定されるものではなく、本技術の要旨を逸脱しない範囲内において変更することが可能である。
【００５３】
なお、本技術は以下のような構成も採ることができる。
【００５４】
（１）
ユーザの脳波を取得する脳波電極と、
上記ユーザの眼電を取得する眼電電極と、
上記ユーザの酸素飽和度を取得する酸素飽和度センサと
を具備するＰＳＧ検査用頭部装具。
【００５５】
（２）
上記（１）に記載のＰＳＧ検査用頭部装具であって、
上記ＰＳＧ検査用頭部装具は、ユーザの頭部に装着されるヘッドバンドを有し、
上記脳波電極は、上記ヘッドバンドによって上記ユーザの頭部の所定位置に配置され、
上記眼電電極は、上記ヘッドバンドによって上記ユーザのこめかみに配置され、
上記酸素飽和度センサは、上記ヘッドバンドによってユーザの額に配置される
ＰＳＧ検査用頭部装具。
【００５６】
（３）
上記（１）又は（２）に記載のＰＳＧ検査用頭部装具であって、
上記脳波電極は、国際１０／２０法に規定される、Ｆ３、Ｆ４、Ｃ３、Ｃ４，Ｏ１及びＯ２の電極位置に配置される
ＰＳＧ検査用頭部装具。
【００５７】
（４）
上記（１）から（３）のうちいずれか一つに記載のＰＳＧ検査用頭部装具であって、
上記ＰＳＧ検査用頭部装具は、取得された信号から終夜睡眠ポリグラフを生成する信号処理部をさらに具備する
ＰＳＧ検査用頭部装具。
【００５８】
（５）
ユーザの脳波を取得する脳波電極と、上記ユーザの眼電を取得する眼電電極と、上記ユーザの酸素飽和度を取得する酸素飽和度センサとを有するＰＳＧ検査用頭部装具と、
上記ユーザの頤筋電を取得する頤筋電電極と、上記ユーザの鼻口呼吸を取得する気流センサとを有するＰＳＧ検査用頤部装具と、
上記ユーザの心電を取得する心電センサと、上記ユーザの呼吸運動を取得する呼吸運動センサとを有するＰＳＧ検査用胸部装具と
を具備するＰＳＧ検査装置。
【００５９】
（６）
上記（５）に記載のＰＳＧ検査装置であって、
上記ＰＳＧ検査用頭部装具は、取得された信号から終夜睡眠ポリグラフを生成する信号処理部をさらに具備し、
上記ＰＳＧ検査用胸部装具は、上記心電センサ及び上記呼吸運動センサの出力信号を上記信号処理部に無線送信する胸部送信部をさらに具備する
ＰＳＧ検査装置。
【００６０】
（７）
上記（５）又は（６）に記載のＰＳＧ検査装置であって、
上記ＰＳＧ検査用頭部装具は、上記信号処理部によって生成された終夜睡眠ポリグラフを外部機器に無線送信する外部送信部をさらに具備する
ＰＳＧ検査装置。
【符号の説明】
【００６１】
１…ＰＳＧ検査装置
２…頭部装具
３…頤部装具
４…胸部装具
２１…ヘッドバンド
２２…筐体
２３…脳波電極
２４…眼電電極
２５…酸素飽和度センサ
２７…信号処理回路
２８…ＣＰＵ
２９…記録装置
３０…外部通信装置
３１…支持体
３２…頤筋電電極
３３…気流センサ
４１…支持体
４２…心電センサ
４３…呼吸運動センサ
４４…胸部通信装置
【図１】
0006019559.tif 000002
【図２】
0006019559.tif 000003
【図３】
0006019559.tif 000004
【図４】
0006019559.tif 000005
【図５】
0006019559.tif 000006